(57)【要約】【課題】手の不自由な人等が手を使用せずに飲食することを補助し、軽量且つ剛性を有し使用者が首に掛けていても重さを感じることがない飲料用カップホルダを提供する。【解決手段】底部１１０、胴部１２０、口部１３０から構成され、飲料缶や飲料用ペットボトル等の飲料用の容器を収容するための容器保持部１０と、前記容器保持部１０に脱着可能に連結され、首に掛けて前記容器保持部１０を吊り下げるための紐状部材２０と、前記容器保持部１０の口部１３０の少なくとも２個所に設けられ、紐状部材２０を着脱自在に取り付けるための耳部１４０と、からなり、前記容器保持部１０は、プラスチックあるいは金属からなるメッシュ板または平板に孔を設けた打ち抜き板を素材とすることを特徴とする、飲料用カップホルダ。【選択図】図１
0003126053.tif 000002
【実用新案登録請求の範囲】
【請求項１】
底部１１０、胴部１２０、口部１３０から構成され、飲料缶や飲料用ペットボトル等の飲料用の容器を収容するための容器保持部１０と、
前記容器保持部１０に脱着可能に連結され、首に掛けて前記容器保持部１０を吊り下げるための紐状部材２０と、
前記容器保持部１０の口部１３０の少なくとも２個所に設けられ、紐状部材２０を着脱自在に取り付けるための耳部１４０と、からなり、
前記容器保持部１０は、プラスチックあるいは金属からなるメッシュ板、または平板に孔を設けた打ち抜き板を素材とすることを特徴とする、飲料用カップホルダ。
【請求項２】
底部１１０、胴部１２０、口部１３０から構成され、飲料缶や飲料用ペットボトル等の飲料用の容器を収容するための容器保持部１０と、
前記容器保持部１０に脱着可能に連結され、首に掛けて前記容器保持部１０を吊り下げるための紐状部材２０と、からなり、
前記容器保持部１０が、毛、綿、麻、ナイロン、ポリウレタン、或いはこれらの組合せからなる編地或いは織地に、樹脂を含浸させた後、該樹脂を硬化させることにより前記編地を強張らせて形成したものであることを特徴とする、飲料用カップホルダ。
【考案の詳細な説明】
【技術分野】
【０００１】
本考案は、手に障害をもつ人等が飲料用の容器を手で把持しなくとも良く、容器を収容することにより容器を保持し、介護者の手を借りずに飲み物を飲むことを可能とする飲料用カップホルダに関する。
【背景技術】
【０００２】
従来、手に障害を持つ人や、飲料容器を手で把持できない人が飲料を飲む場合には、他人が支えている飲料容器から飲む必要があったため、落ち着いて飲むことができなかった。また、少量の飲料を飲むためにも逐一介護者に容器を支えてもらう必要があり、煩わしいという問題があった。
【０００３】
このような問題を解決するために、特許文献１には、両手に障害を持つ人たちが、飲料の入った器を自分の身体で保持し、ゆっくりと飲むことができる様にした器保持具が記載されている。
この器保持具は、飲料などを入れる器を保持するための器保持部（１）と、該器支持部を支持する支持部材（２）と、該支持部材を身体で保持するための着用部材（４）とを設けてなる。
【０００４】
また、特許文献２には、手の不自由な障害者等が介護者等の介護を受けずに、飲食を簡単にすることができる食器台が記載されている。
この食器台は、容器１０に入れられた飲み物９を保持するための保持部１１と、保持部１１を支持軸１７、１７を中心にして揺動自在に支持する支持部１２と、保持部１１に設けられ顎８を押し当てて保持部１１を傾斜させるためのものであり傾斜した保持部１１に保持されている飲み物９が口２２に入るように形成した突出部２１とを備えてなる。
【特許文献１】特開２００３−５２５１５号公報
【特許文献２】特開２００５−２４５５８４号公報
【考案の開示】
【考案が解決しようとする課題】
【０００５】
しかしながら、上記先行技術には下記のような問題点があった。
特許文献１に記載の器保持具は、器保持部（１）と、該器支持部を支持する支持部材（２）が、別々に設けられているため、使用する際にかさばるうえに、飲料を飲まない時や、寝ている時には取り外しておかなければ、重くて首などの身体部分に負担がかかる。
【０００６】
また、特許文献２に記載の食器台は、水平な設置台が必要であり、且つ、食器台のある場所でしか飲食をすることができないため、例えば移動の際には食器台を持って移動する必要があり煩わしい。また、持ち歩く場合にもスペースが必要で、さらに手が不自由な場合には簡単に持ち運ぶこともできず不便である。
【課題を解決するための手段】
【０００７】
上記問題を解決するため、本考案に係る飲料用カップホルダは、請求項１に記載するように、
底部１１０、胴部１２０、口部１３０から構成され、飲料缶や飲料用ペットボトル等の飲料用の容器を収容するための容器保持部１０と、
前記容器保持部１０に脱着可能に連結され、首に掛けて前記容器保持部１０を吊り下げるための紐状部材２０と、
前記容器保持部１０の口部１３０の少なくとも２個所に設けられ、紐状部材２０を着脱自在に取り付けるための耳部１４０と、からなり、
前記容器保持部１０は、プラスチックあるいは金属からなるメッシュ板、または平板に孔を設けた打ち抜き板を素材とすることを特徴とする。
【０００８】
また、請求項２に記載の本考案の飲料用カップホルダは、
底部１１０、胴部１２０、口部１３０から構成され、飲料缶や飲料用ペットボトル等の飲料用の容器を収容するための容器保持部１０と、
前記容器保持部１０に脱着可能に連結され、首に掛けて前記容器保持部１０を吊り下げるための紐状部材２０と、からなり、
前記容器保持部１０が、毛、綿、麻、ナイロン、ポリウレタン、或いはこれらの組合せからなる編地或いは織地に、樹脂を含浸させた後、該樹脂を硬化させることにより前記編地を強張らせて形成したものであることを特徴とする。
【考案の効果】
【０００９】
請求項１に記載の本考案の飲料用カップホルダは、容器保持部１０が、プラスチックあるいは金属からなるメッシュ板または平板に孔を設けた打ち抜き板を素材とすることにより、軽量且つ剛性を有しているため、使用者が首に掛けていても重さを感じることがない。また、飲料缶やペットボトル等の飲料容器が前記容器保持部１０に把持・固定されるため、飲食の際に飲料物をこぼすことがなく好適である。
請求項２に記載の飲料用カップホルダによれば、容器保持部１０を、毛や綿等からなる編地或いは織地に樹脂を含浸させた後硬化させて形成することにより、上記のような軽量・剛性との目的を達成することができる。加えて、見た目に装飾性を有すると共に、使用者が通常の衣服と同様の間隔で着用することができ、使用者の身体に当たっても痛くない飲料用カップホルダとすることができる。
【考案を実施するための最良の形態】
【００１０】
以下、図面に基づいて本考案を詳細に説明する。
（第１の実施形態）
図１に示すように、本考案の飲料用カップホルダ１は、飲料用の容器を収容するための容器保持部１０と、前記容器保持部１０に脱着可能に連結され、首に掛けて前記容器保持部１０を吊り下げるための紐状部材２０とからなる。
前記容器保持部１０は、底部１１０、胴部１２０、口部１３０から構成され、飲料缶や飲料用ペットボトル、陶器製或いはプラスチック製の湯飲みやカップを収容することができる。
【００１１】
容器保持部１０は、プラスチック、金属等の剛性のある素材でなることが、収容した飲料容器を確実に保持するためには好ましいが、軽量化のためには、メッシュ素材としたり、平板に孔を設けた打ち抜き板等を使用することが好ましい。また、籐やつる、金属製のワイヤー等を編んで製造した籠状のものでも好ましい。
容器保持部１０の口部１３０には、少なくとも２個所に、紐状部材２０を取り付けるための耳部１４０が設けられていることが好ましい。
前記耳部１４０に、紐状部材２０の両端を取り付けるが、この際紐状部材２０は、前記耳部１４０から脱着可能であることが好ましい。
本考案の飲料用カップホルダをは、前記容器保持部１０に紐状部材２０を連結した際、前記容器保持部１０と前記紐状部材２０とで形成された空間の中に、使用者の首を差し込で使用する。
【００１２】
このように、前記紐状部材２０は、使用者が使用時に首に掛けるため、首に当たっても痛くない素材を使用してなることが好ましい。具体的には、面、麻、毛などの天然繊維や、ポリエステル、ナイロン等の化学繊維、再生繊維、あるいはそれらの合成繊維の何れも使用することができる。形状は、首に当たっても痛くないような、幅広の帯状とすることが好ましい。
【００１３】
前記紐状部材２０を連結するための前記耳部１４０は、容器保持部１０の口部１３０に複数個所設けられていても構わない。
この場合の紐状部材２０の取り付け方としては、４個所の耳部１４０に二本の紐状部材２０がクロスされて取り付けられても良いし、二本の紐状部材２０が平行になるように取り付けられても構わない。
【００１４】
使用者が本考案に係るカップホルダ１を使用する際は、前記容器保持部１０に、飲料の入った飲料容器Ｐ、例えば飲料缶や飲料用ペットボトル、陶器製或いはプラスチック製の湯飲みやカップを収容し、上述のように、前記紐状部材２０を首に掛けて使用する。
前記紐状部材の長さは、飲料容器の飲み口がちょうど使用者の口の部分に来るように、調節手段Ｍにより調節可能であることが好ましい。調節手段Ｍとしては例えば、面テープや調節金具、ボタン等の公知の方法により調節可能であれば良い。
あるいは、使用者が飲食時に必要に応じてストローＹを使用する場合には、ストローＹの端部と使用者の口の高さが合致するように、調節手段Ｍにより前記紐状部材２０の長さを調節する。
【００１５】
飲食が終了した後は、飲料容器Ｐを前記容器保持部１０から抜き取るだけで、飲料用カップホルダ１はそのまま首に掛けておいても、軽くて煩わしさも無く、次回の飲食時の際にカップホルダ１を再着用する手間もないので好適である。
【００１６】
図２に示すように、前記容器保持部１０の外壁には、必要に応じて、布等の被覆部材Ａを被覆しても良い。被覆部材Ａを被覆することにより、使用者の身体に当たるときのクッション材としての役割を果たすだけでなく、本考案のカップホルダ１を装飾できる点でも好ましい。
前記被覆部材Ａとしては、使用者の好みの素材・柄のものを使用することができ、例えば、レース布、ファー布などの装飾性のある布を用いても良い。
また、前記容器保持部１０の外壁には、この他にも装飾用のボタンＢ、バッジＣ、アップリケＤなどを取り付けて装飾することもできるし、簡単な買い物等のメモＥを貼付しておくことも可能である。これら装飾品は、公知の手段、例えば、面テープやボタン等で取り付けることが可能である。
【００１７】
（第２の実施形態）
図３に示すように、前記容器保持部１０は、編地から構成されるものであっても良い。ここで編地とは、連続した編目で構成された布地を指す。
前記容器保持部１０の素材を編地とした場合には、柔軟性があり使用者の身体に当たった場合にも痛みを感じないことに加え、見た目の装飾性にも富んでいるため好適である。
【００１８】
編地の素材としては、上記のように編地を使用する目的を達成するために、柔軟性を有する素材を使用することが好ましい。一般的に編地に使用される素材、例えば毛、綿、麻、ナイロン、ポリウレタン、等の素材或いはこれらの組合せからなる素材を好ましく用いることができる。
これらの素材を、格子状或いは放射状の編み目とし、容器保持部１０を形成する。容器保持部１０の形成にあたっては、底部１１０、胴部１２０、口部１３０等の各パーツを一体的且つ立体的に形成することもできるし、各パーツを製造した後にそれぞれを立体的に接合して容器保持部１０を形成しても良い。
【００１９】
このようにして製造された容器保持部１０は、編地の柔軟性が高く使用者が通常の衣服と遜色なく着用することができるため好ましいものである。
しかしながら、編地の柔軟性により、飲料用容器が十分に保持・固定されず、飲食に際して不便を感じる場合には、必要に応じて、前記編地に張り及び剛性を付加するための加工を施すことも可能である。
【００２０】
編地に張りを付加するための加工としては、公知の芯材を接着して積層材としたり、編地を構成する糸を、柔軟性の高い糸及び張りを有する糸との二重にすることなどが挙げられる。
さらには、柔軟な編地に液状の樹脂を含浸させた後、樹脂を硬化させることにより前記編地を強張らせて形態を固定することもできる。
この場合に用いられる硬化性樹脂としては公知の樹脂で良く、エポキシ樹脂、フェノール樹脂、ポリウレタン樹脂、シリコーン、ポリイミド樹脂等が挙げられる。
編地に含浸させやすくするため、前記樹脂は低粘度であることが好ましく、更に、液状樹脂であることが好ましい。
【００２１】
前記編地に樹脂を含浸させる成形方法としては、編地に液状の樹脂を含浸させた後にその編地を成形型に貼り付けてそのまま前記樹脂を硬化させ、その硬化した樹脂で強張った編地を成形型から離脱するようにした方法が挙げられる。
【００２２】
その他、前記容器保持部１０は織地からなるものであっても良い。なお、織地とは、縦糸と横糸を組み合わせて機にかけて織った布地を指す。
この場合も上記同様、織地に樹脂を含浸させた後に硬化させることにより、張りと剛性を付加した容器保持部１０を製造することができる。
【００２３】
このように、編地或いは織地に樹脂を含浸させた後に硬化させて得られた容器保持部１０は、見た目の柔軟性と、実際の剛性を併せ持ち、且つ軽量であるため、使用者の負担を軽減させる点で好ましい。
【００２４】
なお、図３に示すように、第２の実施形態において、紐状部材２０を取り付けるための耳部１４０は設けられていなくても差し支えない。前記容器保持部１０が格子状或いは放射状の編地により形成されている場合には、編目と編目の間隙に前記紐状部材２０を着脱可能に取り付けることができる。
また、図３に示すように、第２の実施形態において、容器保持部１０の外壁周囲を、前記紐状部材２０の取り付け及び容器保持部１０の補強を目的とした補強部材２１で包囲する構成としても良い。前記補強部材２１は、例えば前記紐状部材２０と同素材の複数の長尺テープを直角に交差させ、容器保持部１０が隙間なく嵌合するように立体的に接合したものである。
前記補強部材２１は、前記紐状部材２０を着脱可能に取り付けられ、且つ容器保持部１０の外壁を取り囲むように嵌合しているので、容器保持部１０を物理的衝撃から保護することが可能となる。
【産業上の利用可能性】
【００２５】
本考案に係る飲料用カップホルダによれば、従来手に障害がある等の理由で、飲料を飲む際に介護者等の手助けが必要であった場合にも、人手を借りずに一人で好きな時間に飲食することができる。
また、本考案の飲料用カップホルダは軽量で小さいため、首に掛けても負担にならないので、飲料容器を取り外しておけば飲食以外の時でも首に掛けておける。
【図面の簡単な説明】
【００２６】
【図１】本考案に係る第１の実施形態を示す模式図である。
【図２】本考案に係る第１の実施形態を示す他の模式図である。
【図３】本考案に係る第２の実施形態を示す模式図である。
【符号の説明】
【００２７】
１      飲料用カップホルダ
１０    容器保持部
１１０  底部
１２０  胴部
１３０  口部
１４０  耳部
２０    紐状部材
２１    補強部材
【図１】
0003126053.tif 000003
【図２】
0003126053.tif 000004
【図３】
0003126053.tif 000005